(57)【要約】  【課題】  基礎構造物の支柱の内部に装着され、支柱と杭との間隙部に充填される充填材が海中に漏れることを確実に防止できる充填材漏洩防止用シールを提供することを目的とする。また、基礎構造物を海底地盤上に設置する際に、海を汚すことなく円滑且つ迅速に施工作業を行え、現場で煩雑な取り付け作業を行うことがなく作業性に優れると共に、工数を著しく削減し施工性に優れた基礎構造物の施工方法を提供することを目的とする。  【解決手段】  本発明の充填材漏洩防止用シール１は、支柱Ｙの内壁に配設固定される環状のベース部３と、ベース部３から突設された環状の突出部４と、突出部４の先端部から延設された環状の傾斜部５と、がゴム等の弾性体により一体に形成された構成を有している。本発明の基礎構造物の施工方法は、ベース部配設固定工程と、取り付け部材固定工程と、設置工程と、杭打設工程と、充填材注入工程と、を備えた構成を有している。【選択図】  図１
2005068712.tif 000002
【特許請求の範囲】
【請求項１】
管状の支柱と前記支柱に挿入される杭との間隙部に装着され、前記間隙部に充填される充填材が前記支柱の下端部から漏れることを防止するための充填材漏洩防止用シールであって、
前記支柱の内壁に沿って、或いは前記支柱の内壁に取り付けられる取り付け部材の内壁に沿って配設固定される環状のベース部と、
前記ベース部から少なくとも前記間隙部の幅より大きい突出長さで突設された環状の突出部と、
前記突出部の先端部から上方に向かって前記ベース部側に傾斜して延設された環状の傾斜部と、
がゴム等の弾性体により一体に形成されていることを特徴とする充填材漏洩防止用シール。
【請求項２】
前記ベース部が、前記突出部の基部の下部に、前記ベース部の厚さが下方に向かうにつれ薄くなった肉薄部を備えていることを特徴とする請求項１に記載の充填材漏洩防止用シール。
【請求項３】
前記突出部が、前記ベース部に対して５０°〜７０°の角度で下向きに突設されていることを特徴とする請求項１又は２に記載の充填材漏洩防止用シール。
【請求項４】
前記突出部の先端部が先鋭状に形成されていることを特徴とする請求項１乃至３の内いずれか１項に記載の充填材漏洩防止用シール。
【請求項５】
前記傾斜部の杭あたり面が、前記杭の挿入方向に対して１５°〜４５°の角度で形成されていることを特徴とする請求項１乃至４の内いずれか１項に記載の充填材漏洩防止用シール。
【請求項６】
前記傾斜部が、前記杭が前記支柱の中心から最も偏心した位置で前記支柱に挿入される際に、前記傾斜部の先端部が前記支柱に最も接近した前記杭の外壁より前記支柱側に位置するように形成されていることを特徴とする請求項１乃至５の内いずれか１項に記載の充填材漏洩防止用シール。
【請求項７】
円筒状に形成されその内壁に沿って前記ベース部が固定されると共に、その外壁で前記支柱の内壁に沿って固定される取り付け部材を備えていることを特徴とする請求項１乃至６の内いずれか１項に記載の充填材漏洩防止用シール。
【請求項８】
請求項１乃至７の内いずれか１項に記載の充填材漏洩防止用シールのベース部を取り付け部材の内壁に沿って配設固定するベース部配設固定工程と、
前記取り付け部材を基礎構造物の支柱の内壁に沿って溶接等の固定手段により固定する取り付け部材固定工程と、
前記基礎構造物を海中に沈めて海底地盤上に設置する設置工程と、
前記支柱に杭を挿入して前記杭を前記海底地盤に打設する杭打設工程と、
前記杭と前記支柱との間隙部に充填材を注入する充填材注入工程と、
を備えていることを特徴とする基礎構造物の施工方法。
【請求項９】
請求項１乃至７の内いずれか１項に記載の充填材漏洩防止用シールのベース部を基礎構造物の支柱の内壁に沿って配設固定するシール配設固定工程と、
前記基礎構造物を海中に沈めて海底地盤上に設置する設置工程と、
前記支柱に杭を挿入して前記杭を前記海底地盤に打設する杭打設工程と、
前記杭と前記支柱との間隙部に充填材を注入する充填材注入工程と、
を備えていることを特徴とする基礎構造物の施工方法。
【請求項１０】
前記充填材漏洩防止用シールの傾斜部に潤滑材を塗布する潤滑材塗布工程を備えていることを特徴とする請求項８又は９に記載の基礎構造物の施工方法。
【発明の詳細な説明】
【技術分野】
【０００１】
本発明は、橋梁や防波堤等の海上構造物の基礎として用いられる基礎構造物の管状の支柱の内部に装着され、支柱と支柱に挿入される杭との間隙部に充填される充填材の漏洩を防止する充填材漏洩防止用シール、及び海中に沈められて海底地盤上に設置され、橋梁や防波堤等の海上構造物の基礎として用いられる基礎構造物の施工方法に関するものである。
【背景技術】
【０００２】
従来、橋梁や防波堤、桟橋、海上空港、石油掘削ジャケット等の海上構造物の基礎として、複数の管状の支柱を垂直材とし、梁や連結部材等を水平材としてやぐら状に組み立てられた基礎構造物が用いられている。このような基礎構造物は陸上で組み立てられた後、海中に沈められて海底地盤上に設置され、海上構造物を海中で支持している。
ところで、このような基礎構造物を海底地盤上に固定するために、一般的に、海底に沈められた基礎構造物の管状の支柱に鋼管杭等の杭を挿入して海底地盤に打ち込むと共に、支柱と杭との間隙部に通称グラウト材と呼ばれる充填材を注入し固化させる方法が用いられている。なお、このとき、支柱内部の支柱と杭との隙間に注入した充填材が支柱の下端部から海中に漏洩するのを防止するために、支柱と杭との間隙部に装着されるゴム製等の環状のシールが用いられている。
このようなシールとしては、特許文献１に「鋼管杭基礎用シール」が開示されている。以下、特許文献１の「鋼管杭基礎用シール」について、図７を用いて説明する。
図７は特許文献１の鋼管杭基礎用シールの要部断面図である。
図７において、Ｙは橋梁や防波堤等の基礎構造物の管状の支柱、Ｋは支柱Ｙに挿通され海底地盤に打設される鋼管杭等の杭、１０１は支柱Ｙと杭Ｋとの隙間に装着された環状の鋼管杭基礎用シール、１０２は鋼管杭基礎用シール１０１の支柱Ｙに当接する支柱当接部、１０３は支柱当接部１０２の下部から杭Ｋに向かって下方に傾斜した傾斜部、１０４は傾斜部１０３の先端部に形成され杭Ｋに当接する杭当接面、１０５は支柱Ｙと杭Ｋとの間隙部に注入され充填されるコンクリート等の充填材である。
図７に示すように、鋼管杭基礎用シール１０１は支柱Ｙに当接する支柱当接部１０２と、支柱当接部１０２の下部から杭Ｋに向かって下方に傾斜した傾斜部１０３と、杭Ｋに当接する杭当接面と、を備え、支柱Ｙと杭Ｋとの間隙部を塞いで充填材１０５が支柱Ｙの下端部から海中に漏洩するのを防止している。
【０００３】
【特許文献１】特開２０００−３８７３１号公報
【発明の開示】
【発明が解決しようとする課題】
【０００４】
しかしながら、上記従来の技術では以下のような課題を有していた。
（１）鋼管杭基礎用シール１０１の傾斜部１０３が下方へ傾斜しているため、支柱Ｙと杭Ｋとの間隙部に充填された充填材１０５の自重等による圧力により傾斜部１０３が下方へ押圧され、その押圧力が傾斜部１０３の弾性力より大きくなると杭当接面１０４が杭Ｋから離れ充填材１０５が漏れ出てしまうので、充填材１０５の自重による押圧力が大きくならないように充填材１０５の注入量が制限され、充填材１０５の圧力が高くなるような大型の基礎構造物では充填材１０５を数回に渡って打設しなければならず、作業工数が増加し作業性に欠けるという課題を有していた。
（２）支柱当接部１０２は支柱Ｙに弾性的に圧接しているだけなので、杭Ｋの挿入又は打接に伴って鋼管杭基礎用シール１０１の位置がずれたり隙間が生じたりしてシール性が低下し、充填材が漏れ易いという課題を有していた。
【０００５】
本発明は、上記従来の課題を解決するもので、橋梁や防波堤等の海上構造物の基礎として用いられる基礎構造物の管状の支柱の内部に装着され、支柱と挿入された杭との間隙部に充填される充填材が支柱の下端部から海中に漏れることを防ぐことができ、特に大型の基礎構造物で支柱と杭との間隙部への充填材の充填量が多くなる場合であってもその漏れを確実に防ぐことができ、一回の注入作業で全ての充填材を注入できるので工数がかからず作業性に優れた充填材漏洩防止用シールを提供することを目的とする。
また、本発明は、上記従来の課題を解決するもので、橋梁や防波堤等の海上構造物の基礎として用いられる基礎構造物を海中に沈めて海底地盤上に設置固定する際に、支柱と杭との間隙部に充填される充填材が海中に漏れることを確実に防止し、海を汚すことなく円滑且つ迅速に施工作業を行うことができ、また充填材漏洩防止用シールを支柱の内壁に取り付けるために現場で煩雑な取り付け作業を行うことがなく作業性に優れると共に、充填材を一回の充填作業で完了できるため工数を著しく削減し施工性に優れた基礎構造物の施工方法を提供することを目的とする。
【課題を解決するための手段】
【０００６】
上記課題を解決するために本発明の充填材漏洩防止用シールは、以下の構成を有している。
本発明の請求項１に記載の充填材漏洩防止用シールは、管状の支柱と前記支柱に挿入される杭との間隙部に装着され、前記間隙部に充填される充填材が前記支柱の下端部から漏れることを防止するための充填材漏洩防止用シールであって、前記支柱の内壁に沿って、或いは前記支柱の内壁に取り付けられる取り付け部材の内壁に沿って配設固定される環状のベース部と、前記ベース部から少なくとも前記間隙部の幅より大きい突出長さで突設された環状の突出部と、前記突出部の先端部から上方に向かって前記ベース部側に傾斜して延設された環状の傾斜部と、がゴム等の弾性体により一体に形成された構成を有している。
【０００７】
この構成により、以下のような作用を有する。
（１）突出部がベース部から支柱の中心側に向かって少なくとも支柱と杭との間隙部の幅より大きく突出して、環状の突出部の内径が少なくとも杭の外径より小さく形成されると共に、突出部がゴム等の弾性体により形成されているので、支柱内部に挿入された杭は傾斜部の杭あたり面に当接して傾斜部を押圧し、それに伴って突出部が杭の挿入方向へ押圧され弾性変形するため、突出部の先端から上方へ延設された傾斜部の杭あたり面を杭の外壁に密着させながら、杭を支柱内部に円滑に挿入することができる。また、突出部が弾性変形することにより、杭を挿入する際や杭を海底地盤に打設する際等の衝撃にも追従して杭の外壁の全周に渡って傾斜部の杭あたり面を密着させることができるのでシール性の低下を防ぎ、充填材の漏れを確実に防ぐことができる。
（２）傾斜部が突出部の先端から上方へ延設されると共に、傾斜部がゴム等の弾性体により形成されているので、杭が支柱内部に挿入されると、傾斜部の杭あたり面に当接して傾斜部を押圧し、それに伴って突出部が杭の挿入方向に押圧され変形し傾斜部を杭の外壁に向かって付勢するので、傾斜部の杭あたり面を杭の外壁に密着させることができ、傾斜部の杭あたり面と杭の外壁との間に隙間が生じることを防ぐことができる。
（３）傾斜部が突出部の先端から上方へ延設されているので、ベース部と突出部と傾斜部により断面略凹状の溝部が形成され、支柱と支柱に挿入された杭との間隙部に充填材が注入されると、断面略凹状の溝部の内部に充填材が溜まり、充填材の圧力により傾斜部は杭の外壁に押圧されるため、傾斜部の杭あたり面と杭の外壁との隙間から充填材が漏れることを防ぐことができる。さらに、支柱の長さが長く充填される充填材の量が多量である場合であっても、充填量に伴って傾斜部にかかる押圧力も大きくなるので、大型の基礎構造物においても充填材の漏れを確実に防ぐことができ、一回の注入作業で全ての充填材を注入することができ作業性に優れる。
（４）傾斜部が支柱の内壁側に傾斜して形成されているので、支柱に杭を挿入する際に傾斜部が杭に引き摺られて裏返ったり縒れたりすることがなく、杭を傾斜部の杭あたり面に沿って滑らせながら円滑に挿入することができる。
【０００８】
ここで、ベース部、突出部及び傾斜部はゴムや弾性を有する合成樹脂等の弾性体で一体的に形成される。弾性体の材質としては、引張強さが高く、また耐候性に優れたクロロプレンゴム等が用いられる。また、ベース部は支柱の内壁又は支柱の内壁に取り付けられる取り付け部材の内壁に、ボルトナット等の固定部材を用いて、又は接着材を用いた接着、焼付けによる接着、或いはベース部を形成するゴムの成形と同時に接着する加硫接着等により強固に固定されることが好ましい。ベース部を焼き付けによる接着や加硫接着等により固定した場合は、ボルトナット等の固定部材を必要としないので、突出部や傾斜部がボルト等に接触して傷ついたりすることがなく、また支柱にボルト挿通孔等を穿設する必要がないので支柱の強度低下を防ぐことができる。さらに、ベース部は支柱の長さ方向に所定の幅を有する円筒状等に形成され、支柱又は取り付け部材の内壁との接着面積を大きくして、強固に固定されることが好ましい。
また、突出部とベース部との接合部分である突出部の基部は、その先端部より肉厚に形成することが好ましい。突出部の基部には杭を支柱に挿入する際に杭の押圧力により大きな曲げ応力がかかるので、肉厚に形成することにより、突出部の基部が折れたり元に戻らない程変形したりすることを防ぎ、耐久性を向上させることができる。
【０００９】
本発明の請求項２に記載の充填材漏洩防止用シールは、請求項１に記載の発明において、前記ベース部が、前記突出部の基部の下部に、前記ベース部の厚さが下方に向かうにつれ薄くなった肉薄部を備えた構成を有している。
【００１０】
この構成により、請求項１の作用に加え、以下のような作用を有する。
（１）支柱に杭を挿入し、それに伴って突出部が変形した場合、ベース部の突出部の基部の下部に肉薄部が形成されているので、突出部の変形がベース部により妨げられることがなく、突出部を支柱の内壁側に容易に変形させることができ、杭が突出部に引っかかることがなく支柱に円滑に挿入することができる。
【００１１】
本発明の請求項３に記載の充填材漏洩防止用シールは、請求項１又は２に記載の発明において、前記突出部が、前記ベース部に対して５０°〜７０°の角度で下向きに突設された構成を有している。
【００１２】
この構成により、請求項１又は２の作用に加え、以下のような作用を有する。
（１）突出部が、ベース部に対して５０°〜７０°の角度で下向きに突設されているので、傾斜部の杭あたり面を杭に適度な押圧力で密着させることできると共に、杭を支柱に挿入する際に突出部に過度の押圧力がかかることを防ぐことができる。
【００１３】
ここで、突出部は、ベース部に対して５０°〜７０°の角度、好ましくは５５°〜６５°の角度で下向きに突設されることが好ましい。突出部のベース部に対する傾斜が５５°より小さくなるにつれ、突出部が下に向きすぎて、杭の外壁方向への弾性力が小さくなり、傾斜部の杭あたり面を杭の外壁に強く密着させることができなくなるため好ましくなく、５０°より小さくなるにつれさらにその傾向が顕著になるためより好ましくない。突出部のベース部に対する傾斜が６５°より大きくなるにつれ、杭を支柱に挿入する際に突出部に過度の押圧力がかかり、突出部の基部にクラックやクレーズができて折れたり杭が引っかかって挿入できなくなったりし易いため好ましくなく、７０°より大きくなるにつれさらにその傾向が顕著になるためより好ましくない。
【００１４】
本発明の請求項４に記載の充填材漏洩防止用シールは、請求項１乃至３の内いずれか１項に記載の発明において、前記突出部の先端部が先鋭状に形成された構成を有している。
【００１５】
この構成により、請求項１乃至３の内いずれか１項の作用に加え、以下のような作用を有する。
（１）突出部の先端部が先鋭状に形成されているので、杭を支柱に挿入した際に、先鋭状に形成された突出部の先端部の杭あたり面側を杭に確実に当接させることができ、杭あたり面を杭の外壁に強く密着させることができる。
【００１６】
本発明の請求項５に記載の充填材漏洩防止用シールは、請求項１乃至４の内いずれか１項に記載の発明において、前記傾斜部の杭あたり面が、前記杭の挿入方向に対して１５°〜４５°の角度で形成された構成を有している。
【００１７】
この構成により、請求項１乃至４の内いずれか１項の作用に加え、以下のような作用を有する。
（１）傾斜部の杭あたり面が、杭の挿入方向に対して１５°〜４５°の角度で形成されているので、杭を支柱に挿入した際に杭に傾斜部の先端部が引っかかって裏返ったり縒れたりすることがなく、充填材の漏れを確実に防ぐことができると共に、杭が傾斜部に引っかかることを防ぎ、杭を支柱に円滑に挿入することができる。
【００１８】
ここで、傾斜部は、杭側の面に滑らかな平面状の杭あたり面が形成され、杭あたり面の傾斜角度は杭の挿入方向に対して１５°〜４５°、好ましくは２０°〜３５°となるように形成されている。杭あたり面の角度が２０°より小さくなるにつれ、杭を支柱に挿入した際に杭に傾斜部の先端部が引っかかって裏返ったり縒れたりして傾斜部と杭との間に隙間が生じ易くなり充填材の漏れが生じ易くなるため好ましくなく、１５°より小さくなるにつれさらにその傾向が顕著になるためより好ましくない。杭あたり面の角度が３５°より大きくなるにつれ、杭を支柱に挿入した際に杭が傾斜部に引っかかって挿入し難くなるため好ましくなく、４５°より大きくなるにつれさらにその傾向が顕著になるためより好ましくない。
【００１９】
本発明の請求項６に記載の充填材漏洩防止用シールは、請求項１乃至５の内いずれか１項に記載の発明において、前記傾斜部が、前記杭が前記支柱の中心から最も偏心した位置で前記支柱に挿入される際に、前記傾斜部の先端部が前記支柱に最も接近した前記杭の外壁より前記支柱側に位置するように形成された構成を有している。
【００２０】
この構成により、請求項１乃至５の内いずれか１項の作用に加え、以下のような作用を有する。
（１）杭が支柱の中心から最も偏心した位置で支柱に挿入される場合に、傾斜部の先端部が支柱に最も接近した杭の外壁より支柱側に位置するので、支柱に杭を挿入した際に杭が傾斜部に沿って円滑に挿入され、杭が傾斜部の先端に引っかかったり巻き込んだりすることがなく、傾斜部が杭の挿入に伴って裏返ったり縒れたりすることを防ぐことができる。
【００２１】
本発明の請求項７に記載の充填材漏洩防止用シールは、請求項１乃至６の内いずれか１項に記載の発明において、円筒状に形成されその内壁に沿って前記ベース部が固定されると共に、その外壁で前記支柱の内壁に沿って固定される取り付け部材を備えた構成を有している。
【００２２】
この構成により、請求項１乃至６の内いずれか１項の作用に加え、以下のような作用を有する。
（１）円筒状の取り付け部材を備えているので、ベース部を予め取り付け部材に固定しておき、現場では取り付け部材を溶接等により支柱の内壁に取り付けるだけでよいので、例えば現場で支柱の内壁に沿って焼付け接着等で取り付ける等の煩雑な作業を行うことなく現場での施工作業性に優れる。
【００２３】
ここで、ベース部は取り付け部材の内壁に焼き付け接着等により固定される。なお、金型内で加硫成形する場合は、予め取り付け部材を金型内にセットしておき、加硫成形と同時にベース部を取り付け部材に加硫接着して固着することもできる。
【００２４】
本発明の請求項８に記載の基礎構造物の施工方法は、請求項１乃至７の内いずれか１項に記載の充填材漏洩防止用シールのベース部を取り付け部材の内壁に沿って配設固定するベース部配設固定工程と、前記取り付け部材を基礎構造物の支柱の内壁に沿って溶接等の固定手段により固定する取り付け部材固定工程と、前記基礎構造物を海中に沈めて海底地盤上に設置する設置工程と、前記支柱に杭を挿入して前記杭を前記海底地盤に打設する杭打設工程と、前記杭と前記支柱との間隙部に充填材を注入する充填材注入工程と、を備えた構成を有している。
【００２５】
この構成により、以下のような作用を有する。
（１）充填材漏洩防止用シールのベース部を予め取り付け部材に配設固定しておき、現場では取り付け部材を基礎構造物の支柱に溶接等の固定手段で固定するだけでよいので、現場で充填材漏洩防止用シールを支柱に焼付け接着等で取り付ける等の煩雑な作業を行うことがなく作業性に優れる。
（２）杭を支柱に挿入する際に、挿入された杭により充填材漏洩防止用シールの突出部が杭の挿入方向へ押圧され弾性変形するため、傾斜部の杭あたり面を杭の外壁に密着させながら杭を円滑に挿入し打設することができる。
（３）突出部が弾性変形することにより、杭打設工程において生じる衝撃にも傾斜部の杭あたり面が杭の外壁の全周に渡って追従して密着するので、シール性の低下を防止し、注入された充填材の漏れを確実に防ぐことができ、海を汚すことなく円滑且つ迅速に施工作業を行うことができる。
（４）基礎構造物を海底地盤上に設置する前に予め充填材漏洩防止用シールを基礎構造物の支柱の内壁に取り付けるので、基礎構造物を海底地盤上に設置し杭を打設した後に、海中で支柱の下端部をシールする作業を行う必要がなく、作業人員及び作業工数を削減でき省力性に優れる。
【００２６】
ここで、充填材としては、セメントペーストやセメントミルク（ρ＝２〜２．５）等のグラウト材等が用いられる。なお、充填材注入工程においては、支柱の壁面に充填材注入口を開口形成し、充填材注入口に充填材注入管を接続し、注入ポンプ等を用いて支柱と杭の間隙部に充填材が注入される。
【００２７】
本発明の請求項９に記載の基礎構造物の施工方法は、請求項１乃至７の内いずれか１項に記載の充填材漏洩防止用シールのベース部を基礎構造物の支柱の内壁に沿って配設固定するシール配設固定工程と、前記基礎構造物を海中に沈めて海底地盤上に設置する設置工程と、前記支柱に杭を挿入して前記杭を前記海底地盤に打設する杭打設工程と、前記杭と前記支柱との間隙部に充填材を注入する充填材注入工程と、を備えた構成を有している。
【００２８】
この構成により、以下のような作用を有する。
（１）杭を支柱に挿入する際に、挿入された杭により充填材漏洩防止用シールの突出部が杭の挿入方向へ押圧され弾性変形するため、傾斜部の杭あたり面を杭の外壁に密着させながら杭を円滑に挿入し打設することができる。
（２）突出部が弾性変形することにより、杭打設工程において生じる衝撃にも傾斜部の杭あたり面が杭の外壁の全周に渡って追従して密着するので、シール性の低下を防止し、注入された充填材の漏れを確実に防ぐことができ、海を汚すことなく円滑且つ迅速に施工作業を行うことができる。
（３）基礎構造物を海底地盤上に設置する前に予め充填材漏洩防止用シールを基礎構造物の支柱の内壁に配設固定するので、基礎構造物を海底地盤上に設置し杭を打設した後に、海中で支柱の下端部をシールする作業を行う必要がなく、作業人員及び作業工数を削減でき省力性に優れる。
【００２９】
ここで、シール配設固定工程において、充填材漏洩防止用シールのベース部は支柱の内壁に焼き付け接着等により固定される。
【００３０】
本発明の請求項１０に記載の基礎構造物の施工方法は、請求項８又は９に記載の発明において、前記充填材漏洩防止用シールの傾斜部に潤滑材を塗布する潤滑材塗布工程を備えた構成を有している。
【００３１】
この構成により、請求項８又は９の作用に加え、以下のような作用を有する。
（１）充填材漏洩防止用シールの傾斜部の杭あたり面と杭の外壁との摩擦を低減し、杭を円滑に支柱に挿入し海底地盤への打ち込むことができる。
【００３２】
ここで、潤滑材としては、グリース等が用いられる。
【発明の効果】
【００３３】
以上説明したように本発明によれば、以下のような有利な効果が得られる。
請求項１に記載の発明によれば、
（１）ベース部を介して環状の突出部を支柱の内壁に沿って強固に固定することができ、杭を支柱へ挿入する作業時に杭が支柱の中心から多少偏心しても傾斜部が支柱の内壁から外れることがないので充填材の漏れを確実に防止することができる充填材漏洩防止用シールを提供することができる。
（２）支柱内部に挿入された杭は傾斜部の杭あたり面に当接して傾斜部を押圧し、それに伴って突出部が杭の挿入方向へ押圧され弾性変形するため、突出部の先端から上方へ延設された傾斜部の杭あたり面を杭の外壁に密着させながら、杭を支柱内部に円滑に挿入することができ、杭を支柱へ挿入する作業を円滑に行うことができる作業性に優れた充填材漏洩防止用シールを提供することができる。
（３）突出部が弾性変形することにより、杭を挿入する際や杭を海底地盤に打設する際等の衝撃にも追従して杭の外壁の全周に渡って傾斜部の杭あたり面を密着させることができるのでシール性の低下を防ぎ、充填材の漏れを確実に防ぐことができるシール性に優れた充填材漏洩防止用シールを提供することができる。
（４）傾斜部が突出部の先端から上方へ延設されると共に、傾斜部がゴム等の弾性体により形成されているので、傾斜部の杭あたり面を杭の外壁に密着させることができ、傾斜部の杭あたり面と杭の外壁との間に隙間が生じることを防ぐことができ、充填材の漏れを確実に防ぐことができる充填材漏洩防止用シールを提供することができる。
（５）支柱の長さが長く充填される充填材の量が多量である場合であっても、充填量に伴って傾斜部にかかる押圧力も大きくなるので、大型の基礎構造物においても充填材の漏れを確実に防ぐことができ、一回の注入作業で全ての充填材を注入することができる作業性に優れた充填材漏洩防止用シールを提供することができる。
（６）傾斜部が支柱の内壁側に傾斜して形成されているので、支柱に杭を挿入する際に傾斜部が杭に引き摺られて裏返ったり縒れたりすることがなく、杭を傾斜部の杭あたり面に沿って滑らせながら円滑に挿入することができ、杭を支柱へ挿入する作業を円滑に行うことができる作業性に優れた充填材漏洩防止用シールを提供することができる。
【００３４】
請求項２に記載の発明によれば、請求項１の効果に加え、
（１）支柱に杭を挿入し、それに伴って突出部が変形した場合、ベース部の突出部の基部の下部に肉薄部が形成されているので、突出部の変形がベース部により妨げられることがなく、突出部を支柱側に円滑に変形させることができるので、支柱内壁と杭の外壁との間隔が狭い場合であっても、杭を支柱に円滑に挿入することができ、汎用性に優れた充填材漏洩防止用シールを提供することができる。
【００３５】
請求項３に記載の発明によれば、請求項１又は２の効果に加え、
（１）突出部が、ベース部に対して５０°〜７０°の角度で下向きに突設されているので、傾斜部の杭あたり面を杭に適度な押圧力で密着させることできると共に、杭を支柱に挿入する際に突出部に過度の押圧力がかかることを防ぐことができ、杭への密着性が高く且つ機械的強度に優れた充填材漏洩防止用シールを提供することができる。
【００３６】
請求項４に記載の発明によれば、請求項１乃至３の内いずれか１項の効果に加え、
（１）突出部の先端部が先鋭状に形成されているので、杭を支柱に挿入した際に、先鋭状に形成された突出部の先端部の杭あたり面側を杭に確実に当接させることができ、杭あたり面を杭の外壁に強く密着させることができる杭への密着性の高い充填材漏洩防止用シールを提供することができる。
【００３７】
請求項５に記載の発明によれば、請求項１乃至４の内いずれか１項の効果に加え、
（１）傾斜部の杭あたり面が、杭の挿入方向に対して１５°〜４５°の角度で形成されているので、杭を支柱に挿入した際に傾斜部を杭側に巻き込んだり、杭に傾斜部の先端部が引っかかって裏返ったり縒れたりすることがなく、充填材の漏れを確実に防ぐことができ、杭を支柱に円滑に挿入することができる充填材漏洩防止用シールを提供することができる。
【００３８】
請求項６に記載の発明によれば、請求項１乃至５の内いずれか１項の効果に加え、
（１）杭が支柱の中心から最も偏心した位置で支柱に挿入される場合に、傾斜部の先端部が支柱に最も接近した杭の外壁より支柱側に位置するので、支柱に杭を挿入した際に杭が傾斜部に沿って円滑に挿入され、杭が傾斜部の先端に引っかかったり巻き込んだりすることがなく、傾斜部が杭の挿入に伴って裏返ったり縒れたりすることを防ぐことができ、傾斜部の杭あたり面と杭の外壁との隙間から充填材が漏れることを防ぐことができる充填材漏洩防止用シールを提供することができる。
【００３９】
請求項７に記載の発明によれば、請求項１乃至６の内いずれか１項の効果に加え、
（１）円筒状の取り付け部材を備えているので、ベース部を予め取り付け部材に固定しておき、現場では取り付け部材を溶接等により支柱の内壁に取り付けるだけでよいので、例えば現場で支柱の内壁に沿って焼付け接着等で取り付ける等の煩雑な作業を行うことなく現場での施工作業性に優れた充填材漏洩防止用シールを提供することができる。
【００４０】
請求項８に記載の発明によれば、
（１）充填材漏洩防止用シールのベース部を予め取り付け部材に配設固定しておき、現場では取り付け部材を基礎構造物の支柱に溶接等の固定手段で固定するだけでよいので、現場で充填材漏洩防止用シールを支柱に焼付け接着等で取り付ける等の煩雑な作業を行うことがない作業性に優れた基礎構造物の施工方法を提供することができる。
（２）杭を支柱に挿入する際に、挿入された杭により充填材漏洩防止用シールの突出部が杭の挿入方向へ押圧され弾性変形するため、傾斜部の杭あたり面を杭の外壁に密着させながら杭を円滑に挿入し打設することができる作業性に優れた基礎構造物の施工方法を提供することができる。
（３）突出部が弾性変形することにより、杭打設工程において生じる衝撃にも傾斜部の杭あたり面が杭の外壁の全周に渡って追従して密着するので、シール性の低下を防止し、注入された充填材の漏れを確実に防ぐことができるシール性に優れた基礎構造物の施工方法を提供することができる。
（４）充填材の漏れを確実に防ぐことができるので、海を汚すことなく円滑且つ迅速に施工作業を行うことができる作業性に優れた基礎構造物の施工方法を提供することができる。
（５）基礎構造物を海底地盤上に設置する前に予め充填材漏洩防止用シールを基礎構造物の支柱の内壁に取り付けるので、基礎構造物を海底地盤上に設置し杭を打設した後に、海中で支柱の下端部をシールする作業を行う必要がなく、作業人員及び作業工数を削減できる省力性に優れた基礎構造物の施工方法を提供することができる。
【００４１】
請求項９に記載の発明によれば、
（１）杭を支柱に挿入する際に、挿入された杭により充填材漏洩防止用シールの突出部が杭の挿入方向へ押圧され弾性変形するため、傾斜部の杭あたり面を杭の外壁に密着させながら杭を円滑に挿入し打設することができる作業性に優れた基礎構造物の施工方法を提供することができる。
（２）突出部が弾性変形することにより、杭打設工程において生じる衝撃にも傾斜部の杭あたり面が杭の外壁の全周に渡って追従して密着するので、シール性の低下を防止し、注入された充填材の漏れを確実に防ぐことができるシール性に優れた基礎構造物の施工方法を提供することができる。
（３）充填材の漏れを確実に防ぐことができるので、海を汚すことなく円滑且つ迅速に施工作業を行うことができる作業性に優れた基礎構造物の施工方法を提供することができる。
（４）基礎構造物を海底地盤上に設置する前に予め充填材漏洩防止用シールを基礎構造物の支柱の内壁に取り付けるので、基礎構造物を海底地盤上に設置し杭を打設した後に、海中で支柱の下端部をシールする作業を行う必要がなく、作業人員及び作業工数を削減できる省力性に優れた基礎構造物の施工方法を提供することができる。
【００４２】
請求項１０に記載の発明によれば、請求項８又は９の効果に加え、
（１）充填材漏洩防止用シールの傾斜部の杭あたり面と杭の外壁との摩擦を低減し、杭を円滑に支柱に挿入し海底地盤への打ち込むことができる基礎構造物の施工方法を提供することができる。
【発明を実施するための最良の形態】
【００４３】
以下、本発明の一実施の形態について、図１乃至図６を用いて説明する。
（実施の形態１）
図１（ａ）は本実施の形態１における充填材漏洩防止用シールの一部破断要部斜視図であり、図１（ｂ）は充填材漏洩防止用シールを装着する構造物を示す要部斜視図である。
図１において、１は本実施の形態１における充填材漏洩防止用シール、２は充填材漏洩防止用シール１を基礎構造物Ｘの管状の支柱Ｙの内部に取り付けるための円筒状の取り付け部材、３はゴム等の弾性体により形成され取り付け部材２の内壁面に沿って配設された円筒状のベース部、４はベース部３の内側に一体的にゴム等の弾性体により形成され支柱Ｙの中心側へ向かうと共に下方へ傾斜して突設された環状の突出部、５は突出部４の先端の鋭角部４ａからベース部３側に所定角度傾斜して上方に向かって延設されゴム等の弾性体により一体的に形成され、かつ先端に向かうにつれ肉厚が薄くなるように形成された環状の傾斜部、６は傾斜部５の内側面の平滑面からなる杭あたり面、７はベース部３と突出部４と傾斜部５とにより囲まれた断面略凹状の溝部状に形成された充填材受け部である。
基礎構造物Ｘは、橋梁や防波堤等の海上構造物の基礎として海底地盤上に設置される構造物であり、管状の支柱Ｙを垂直材とし連結部材Ｚを水平材としてやぐら状に組み立てられている。
【００４４】
充填材漏洩防止用シール１は取り付け部材２の内周壁面に焼き付け接着等により固定され、充填材漏洩防止用シール１が固定された取り付け部材２は、基礎構造物Ｘの支柱Ｙの内部の下端部に溶接により取り付けられる。取り付け部材２を介して充填材漏洩防止用シール１が取り付けられた基礎構造物Ｘは海中に沈められて海底地盤上に設置される。さらに、基礎構造物Ｘを海底地盤上に固定するために、管状の支柱Ｙに鋼管杭等の杭を挿入して海底地盤に打設している。充填材漏洩防止用シール１は杭が挿入される支柱Ｙの内側に配設される。
ベース部３、突出部４及び傾斜部５は、クロロプレンゴム等の弾性体により一体的に形成されている。なお、ベース部３、突出部４及び傾斜部５は分割金型等を用いて一体成形することができる。また、ベース部３は円筒状の取り付け部材２の内壁に、焼付けにより接着され強固に固定されている。
【００４５】
図２は本実施の形態１における充填材漏洩防止用シールの要部断面図である。
図２において、Ｋは杭、４ａは突出部４の先端の鋭角部であり、傾斜部５が上方に延設されると共に、先鋭状に形成されている。５ａは傾斜部５の上端の先端部、８は取り付け部材２を支柱Ｙの内壁に溶接して取り付けるために形成した溶接部、９は支柱Ｙの内部の略中心に杭Ｋを挿入するために充填材漏洩防止用シール１の上方の支柱Ｙの内壁面に取り付けられた環状のスペーサ部材、９ａはスペーサ部材９の上端部の内側に形成された傾斜面である。また、Ａは支柱Ｙの中心と杭Ｋの中心が一致した場合の杭Ｋの外壁の位置を示し、Ｂは杭Ｋの中心が図２の左側へ最も偏心した場合の杭Ｋの外壁の位置を示し、Ｃは杭Ｋの中心が図２の右側へ最も偏心した場合の杭Ｋの外壁の位置を示す。
【００４６】
図２に示すように、支柱Ｙに杭Ｋを上端部から挿入する際には、まず、杭Ｋは支柱Ｙの上端部近傍の内壁面に取り付けられたスペーサ部材９に挿入される。このとき、杭Ｋの先端部はスペーサ部材９の傾斜部９ａに沿って滑るので、支柱Ｙの略中心にその中心を合わせて挿入することができる。
傾斜部５は突出部４の鋭角部４ａから所定の長さ及び傾斜角度αで形成され、その先端部５ａが支柱Ｙに最も接近した杭Ｋの外壁の位置Ｂよりベース部３側に位置するように形成されている。これにより、杭Ｋが支柱Ｙの中心から最も偏心した例えば外壁の位置Ｂで杭Ｋが支柱Ｙに挿入される場合であっても、支柱Ｙに杭Ｋを挿入した際に杭Ｋが傾斜部５の杭あたり面６に沿って円滑に挿入され、杭Ｋを傾斜部５の先端部５ａに引っかけ巻き込むことを防ぐことができる。
突出部４は支柱Ｙの中心側に向かって支柱Ｙと杭Ｋとの間隙部の幅より大きく突出し、環状の突出部４の内径が少なくとも杭Ｋの外径より小さく形成されている。さらに、突出部４は、その鋭角部４ａが、杭Ｋの中心が支柱Ｙの中心より最も偏心した位置Ｃより支柱Ｙの中心側に位置するように形成されているので、杭Ｋが外壁の位置Ｃで支柱Ｙに挿入された場合であっても、鋭角部４ａが杭Ｋの外壁に当接し、杭Ｋの外壁の全周に渡って傾斜部５の杭あたり面６を密着させることができ、充填材の漏れを確実に防止できる。突出部４の鋭角部４ａは先鋭状に形成されているので、杭を支柱Ｙに挿入した際に、杭が支柱Ｙの中心から偏心している場合であっても、先鋭状に形成された鋭角部４ａの杭あたり面６側を杭Ｋに確実に当接させることができ、杭あたり面６を杭Ｋの外壁に強く密着させることができる。
また、突出部４は、ベース部３に対する傾斜角度αが５０°〜７０°となるように下向きに突設される。突出部４のベース部３に対する傾斜角度αが５０°より小さくなるにつれ、突出部４のベース部３からの突出長さを支柱Ｙと杭Ｋの間隙部の幅より大きくすることが困難になると共に、傾斜部５の杭あたり面６を杭Ｋの挿入方向に対して好適な角度傾斜させて形成することが困難になり、杭あたり面６を杭Ｋの外壁に強く密着させることができなくなるため好ましくない。突出部４のベース部３に対する傾斜角度αが７０°より大きくなるにつれ、杭Ｋを支柱Ｙに挿入する際に突出部４に過度の押圧力がかかり、突出部４の基部が折れたりするため好ましくない。
傾斜部５の杭あたり面６は、杭Ｋの挿入方向に対して傾斜角度βが１５°〜４５°となるように形成されている。杭あたり面の傾斜角度βが１５°より小さくなるにつれ、杭Ｋを支柱Ｙに挿入した際に杭Ｋに傾斜部５の先端が引っかかって裏返ったり縒れたりして傾斜部５と杭Ｋとの間に隙間が生じ充填材の漏れが生じるため好ましくなく、４５°より大きくなるにつれ、杭Ｋを支柱Ｙに挿入する際に杭Ｋが傾斜部５に引っかかり易くなり挿入し難くなるため好ましくない。
また、図２に示すように、傾斜部５は上端の先端部５ａがベース部３の上端部と同じ高さとなるように形成されている。これにより、ベース部３、突出部４及び傾斜部５を金型により一体成形し易く大量生産に適し生産性に優れる。
【００４７】
以上のように構成された本実施の形態１における充填材漏洩防止用シール１について、以下それを用いた基礎構造物の施工方法を図３及び図４を用いて説明する。
図３は支柱に杭を挿入した状態を示す充填材漏洩防止用シールの一部破断要部斜視図であり、図４は支柱に杭を挿入した状態を示す充填材漏洩防止用シールの要部断面図である。
図中、１０は管状の支柱Ｙの壁面の充填材漏洩防止用シール１の上部に開口された充填材注入口、１１は充填材注入口１０に接続された充填材注入管、１２は支柱Ｙと杭Ｋとの間隙部に充填材注入管１１及び充填材注入口１０を介して注入されたコンクリート等の充填材である。
まず、充填材漏洩防止用シール１のベース部３は取り付け部材２の内周壁面に焼き付け接着等により固定される（ベース部配設固定工程）。充填材漏洩防止用シール１が固定された取り付け部材２は、基礎構造物Ｘの支柱Ｙの内部の下端部に溶接により取り付けられる（取り付け部材固定工程）。なお、このとき取り付け部材２を用いずに、充填材漏洩防止用シール１のベース部３を直接支柱Ｙの内周壁面に焼き付け接着等により配設固定してもよい（シール配設固定工程）。
取り付け部材２を介して充填材漏洩防止用シール１が取り付けられた基礎構造物Ｘは海中に沈められて海底地盤上に設置される（設置工程）。さらに、基礎構造物Ｘを海底地盤上に固定するために、管状の支柱Ｙに鋼管杭等の杭Ｋを挿入して海底地盤に打設する（杭打設工程）。杭打設工程においては、図３に示すように、支柱Ｙの上端部から支柱Ｙ内部に挿入された杭Ｋは、図２に示したスペーサ部材９により支柱Ｙの略中心に挿入される。さらに杭Ｋが下方へ挿入されると、杭Ｋは傾斜部５の杭あたり面６に当接して傾斜部５を押圧する。それに伴って突出部４が杭Ｋの挿入方向へ押圧され弾性変形し、傾斜部５を杭Ｋの外壁に向かって付勢するので、傾斜部５の杭あたり面６が杭Ｋの外壁に密着する。杭Ｋは支柱Ｙの下端部まで挿入されると、さらに海底地盤（図示せず）に打ち込まれる。なお、このとき、杭Ｋに当接する傾斜部５の杭あたり面６にグリース等の潤滑材を塗布することができる（潤滑材塗布工程）。これにより、杭Ｋと杭あたり面６との摩擦を低減し、杭Ｋを円滑に挿入し海底地盤への打ち込むことができる。
杭Ｋが海底地盤に所定長さ打ち込まれると、図４に示すように、支柱Ｙと杭Ｋとの間隙部に充填材注入管１１及び充填材注入口１０から注入ポンプ（図示せず）等を用いて充填材１２が注入される（充填材注入工程）。注入された充填材１２は、まず充填材受け部７に溜まり、さらにその上方へ溜まっていく。充填材受け部７においては、注入された充填材１２の圧力により傾斜部５が杭Ｋの外壁に押圧される。この押圧力は注入された充填材１２の充填量により次第に大きくなる。これにより、傾斜部５の杭あたり面６は杭Ｋに強く密着するので、杭あたり面６と杭Ｋの外壁との隙間から充填材１２が漏れることを防ぐことができる。支柱Ｙの上端部近傍まで充填材１２が充填された後、充填材１２を固化させることにより、支柱Ｙを海底地盤に打設された杭Ｋに強固に固定するので、基礎構造物を海底地盤に強固に固定して設置することができる。
なお、本実施の形態１においては、充填材漏洩防止用シール１のベース部３を取り付け部材２を介して支柱Ｙに取り付けているが、これに限られるものではなく、ベース部３を支柱Ｙの内壁に直接焼き付け接着等により配設固定してもよい。これにより、施工作業工数を大幅に削減できる。なお、支柱Ｙは大きいので、現場であっても焼き付け接着作業を雨風の影響を受けることなく行うことができる。
【００４８】
以上のように本実施の形態１における充填材漏洩防止用シール１及び基礎構造物の施工方法は構成されているので、以下のような作用を有する。
（１）ベース部３と突出部４と傾斜部５と一体的に形成し、ベース部３を取り付け部材２の内壁に焼付け接着し、取り付け部材２を支柱Ｙの内壁に溶接しているので、突出部４及び傾斜部５が取り付け部材２及びベース部３を介して支柱Ｙの内壁に沿って強固に固定され、杭Ｋを支柱Ｙに挿入した際に突出部４が杭Ｋに過度に押圧されても取り付け部材２から外れることがなく充填材の漏れを確実に防止できる。
（２）突出部４がベース部３から支柱Ｙの中心側に向かって下方に傾斜して突設されると共に、突出部４がゴム等の弾性体により形成されているので、支柱Ｋに挿入された杭Ｋは傾斜部５の杭あたり面６に当接して傾斜部５を押圧し、それに伴って突出部４が杭Ｋの挿入方向へ押圧され弾性変形するため、杭Ｋを支柱Ｙ内部に円滑に挿入することができる。また、突出部４が杭Ｋの挿入方向に押圧され弾性変形することにより、傾斜部５を杭Ｋの外壁に向かって付勢するので、傾斜部５の杭あたり面６が杭Ｋの外壁に密着し、杭あたり面６と杭Ｋの外壁との間に隙間が生じることを防ぐことができる。
（３）傾斜部５が突出部４の先端から上方へ延設されているので、ベース部３と突出部４と傾斜部５により断面略凹状の溝部が形成され、その内部に充填材受け部７が形成される。支柱Ｙと杭Ｋとの間隙部に充填材１２が注入されると、充填材受け部７に充填材１２が溜まり、充填材１２の圧力により傾斜部５は杭Ｋの外壁に押圧されるため、杭あたり面６が杭Ｋの外壁に強く密着し、杭あたり面６と杭Ｋの外壁との隙間から充填材１２が漏れることを防ぐことができる。さらに、基礎構造物Ｘが大型で支柱Ｙの長さが長く充填される充填材１２の量が多量である場合であっても、充填量に伴って傾斜部５にかかる押圧力も大きくなるので、大型の基礎構造物Ｘにおいても充填材１２の漏れを確実に防ぐことができ、一回の注入作業で全ての充填材１２を注入することができ作業性に優れる。
（４）傾斜部５の杭あたり面６が支柱Ｙの内壁側に傾斜して形成されると共に、杭あたり面６が滑らかな平面状に形成されているので、支柱Ｙに杭Ｋを挿入する際に傾斜部５が杭Ｋに引き摺られて裏返ったり縒れたりすることがなく、杭あたり面６と杭Ｋの外壁との間に隙間が生じることを防ぐことができ、また、杭Ｋを傾斜部５の杭あたり面６に沿わせて円滑に挿入することができる。
（５）突出部４が、ベース部３に対して傾斜角度αが５０°〜７０°の角度で下向きに突設されているので、傾斜部５の杭あたり面６を杭Ｋに適度な押圧力で密着させることができると共に、杭Ｋを支柱Ｙに挿入する際に突出部４に過度の押圧力がかかることを防ぐことができ、突出部４がその基部で折れたり破損したりすることを防ぐことができる。また、突出部４の鋭角部４ａが先鋭状に形成されているので、杭Ｋを支柱Ｙに挿入した際に、先鋭状に形成された突出部４の鋭角部４ａの杭あたり面６側を杭Ｋに確実に当接させることができ、杭あたり面６を杭Ｋの外壁に強く密着させることができ、充填材１２の漏れを確実に防止できる。
（６）傾斜部５の杭あたり面６が、杭Ｋの挿入方向に対して傾斜角度βが１５°〜４５°の角度で形成されているので、杭Ｋを支柱Ｙに挿入した際に杭Ｋに傾斜部５の先端部５ａが引っかかって裏返ったり縒れたりすることがなく、充填材１２の漏れを確実に防ぐことができると共に、杭Ｋが傾斜部５に引っかかることを防ぎ、杭Ｋを支柱Ｙに円滑に挿入することができる。
（７）ベース部配設固定工程において充填材漏洩防止用シール１のベース部３を予め取り付け部材２に配設固定しておき、現場での取り付け部材固定工程において取り付け部材２を基礎構造物Ｘの支柱Ｙに溶接等の固定手段で固定するだけでよいので、現場で充填材漏洩防止用シール１を支柱Ｙに焼付け接着等で取り付ける等の煩雑な作業を行うことがなく作業性に優れる。
（８）基礎構造物Ｘを海底地盤上に設置する前に予め充填材漏洩防止用シール１を基礎構造物Ｘの支柱Ｙの内壁に取り付け部材２を介して取り付けるので、基礎構造物Ｘを海底地盤上に設置し杭Ｋを打設した後に、海中で支柱Ｙの下端部をシールする作業を行う必要がなく、作業人員及び作業工数を削減でき省力性に優れる。
【００４９】
（実施の形態２）
図５は本実施の形態２における充填材漏洩防止用シールの要部断面図であり、図６は支柱に杭を挿入した状態を示す充填材漏洩防止用シールの要部断面図である。
図中、２は取り付け部材、８は溶接部、９はスペーサ部材、９ａは傾斜面、１０は充填材注入口、１１は充填材注入管、１２は充填材、Ｙは支柱、Ｋは杭であり、これらは実施の形態１において説明したものと同様のものであるので同一の符号を付けて説明を省略する。２１は本実施の形態２における充填材漏洩防止用シール、２３はベース部、２４は突出部、２４ａは突出部２４の鋭角部、２５は傾斜部、２５ａは傾斜部２５の上端の先端部、２６は杭あたり面、２７は充填材受け部、２８は肉薄部、２９はベース上端部である。
本実施の形態２における充填材漏洩防止用シール２１が実施の形態１と異なる点は、傾斜部２５の先端部２５ａが支柱Ｙの内壁の近傍まで延設され、ベース上端部２９が傾斜部２５の先端部２５ａに接触しないように形成されている点、及びベース部２３の突出部２４の基部の下部に厚さが下方に向かうにつれ薄くなった肉薄部２８が形成されている点である。
【００５０】
図５に示すように、本実施の形態２においては、支柱Ｙと支柱Ｙに挿入される杭Ｋとの間隙部が小さい場合であって、それに伴ってスペーサ部材３０の厚さを小さくした場合、杭が支柱Ｙの中心から最も偏心した例えば外壁の位置Ｂで支柱Ｙに挿入される場合であっても、傾斜部２５の先端部２５ａが支柱Ｙの内壁の近傍まで延設されているので、傾斜部２５の先端部２５ａを杭の外壁Ｂより支柱Ｙの内壁側に位置させることができる。
また、図５に示すように、本実施の形態２においては、支柱Ｙと支柱Ｙに挿入される杭との間隙部が小さい場合、杭が支柱Ｙの中心から最も偏心した例えば外壁の位置Ｂで支柱Ｙに挿入されると、図６に示すように、突出部２４が杭Ｋに押圧され支柱Ｙの内壁に向かって大きく変形する。このとき、ベース部２３の突出部２４の基部の下部に厚さが下方に向かうにつれ薄くなった肉薄部２８が形成されているので、突出部２４の変形がベース部２３により妨げられることがなく、突出部２４を支柱Ｙ側に円滑に変形させることができる。
【００５１】
以上のように本実施の形態２における充填材漏洩防止用シール２１は構成されているので、実施の形態１の作用に加え、以下のような作用を有する。
（１）杭Ｋが支柱Ｙの中心から最も偏心した例えば外壁の位置Ｂで支柱Ｙに挿入される場合であっても、傾斜部２５の先端部が支柱Ｙの内壁の近傍まで延設されているので、傾斜部２５の先端部２５ａが杭の外壁Ｅより支柱Ｙの内壁側に延びているので、支柱Ｙに杭Ｋを挿入した際に杭Ｋが傾斜部２５の杭あたり面２６に沿って円滑に挿入され、杭Ｋが傾斜部５の先端に引っかかったり傾斜部５を巻き込んだりすることがなく、杭あたり面２６と杭Ｋの外壁との間に隙間が生じることを防ぐことができ、また、杭Ｋを傾斜部２５の杭あたり面２６に沿わせて円滑に挿入することができる。
（２）杭が支柱Ｙの中心から最も偏心した例えば外壁の位置Ｂで支柱Ｙに挿入される場合、支柱Ｙと杭Ｋとの間隙部が小さいため、杭Ｋにより突出部２４が押圧され支柱Ｙ側へ大きく変形しても、ベース部２３の突出部の基部の下部に肉薄部２８が形成されているので、突出部２４が支柱Ｙ側へ逃げることができ、突出部２４の変形がベース部２３により妨げられることがなく、突出部２４を支柱Ｙ側に円滑に変形させることができ、杭Ｋが突出部２４に引っかかることがなく支柱Ｙに円滑に挿入することができる。
【産業上の利用可能性】
【００５２】
以上説明したように、本発明は橋梁や防波堤等の海上構造物の基礎として用いられる基礎構造物の管状の支柱の内部に装着され、支柱と支柱に挿入される杭との間隙部に充填される充填材の漏洩を防止する充填材漏洩防止用シールに関する。特に、本発明によれば、支柱と挿入された杭との間隙部に充填される充填材が支柱の下端部から海中に漏れることを防ぐことができ、特に大型の基礎構造物で支柱と杭との間隙部への充填材の充填量が多くなる場合であってもその漏れを確実に防ぐことができる充填材漏洩防止用シールを提供することができる。
また、以上説明したように、本発明は海中に沈められて海底地盤上に設置され、橋梁や防波堤等の海上構造物の基礎として用いられる基礎構造物の施工方法に関する。特に、本発明によれば、基礎構造物を海中に沈めて海底地盤上に設置固定する際に、支柱と杭との間隙部に充填される充填材が海中に漏れることを防止し、海を汚すことなく円滑且つ迅速に施工作業を行うことができ、また充填材漏洩防止用シールを支柱の内壁に取り付けるために現場で煩雑な取り付け作業を行うことがなく作業性に優れると共に、充填材を一回の充填作業で完了できるため工数を著しく削減し施工性に優れた基礎構造物の施工方法を提供することがきる。
【図面の簡単な説明】
【００５３】
【図１】（ａ）実施の形態１における充填材漏洩防止用シールの一部破断要部斜視図（ｂ）充填材漏洩防止用シールを装着する構造物を示す要部斜視図
【図２】実施の形態１における充填材漏洩防止用シールの要部断面図
【図３】支柱に杭を挿入した状態を示す充填材漏洩防止用シールの一部破断要部斜視図
【図４】支柱に杭を挿入した状態を示す充填材漏洩防止用シールの要部断面図
【図５】実施の形態２における充填材漏洩防止用シールの要部断面図
【図６】支柱に杭を挿入した状態を示す充填材漏洩防止用シールの要部断面図
【図７】特許文献１の鋼管杭基礎用シールの要部断面図
【符号の説明】
【００５４】
１，２１  充填材漏洩防止用シール
２  取り付け部材
３，２３  ベース部
４，２４  突出部
４ａ，２４ａ  鋭角部
５，２５  傾斜部
５ａ，２５ａ  傾斜部の先端部
６，２６  杭あたり面
７，２７  充填材受け部
８  溶接部
９，３０  スペーサ部材
９ａ，３０ａ  傾斜面
１０  充填材注入口
１１  充填材注入管
１２  充填材
２８  肉薄部
２９  ベース上端部
１０１  鋼管杭基礎用シール
１０２  支柱当接部
１０３  傾斜部
１０４  杭当接面
１０５  充填材
Ｘ  基礎構造物
Ｙ  支柱
Ｚ  連結部材
Ｋ  杭
【図１】
2005068712.tif 000003
【図２】
2005068712.tif 000004
【図３】
2005068712.tif 000005
【図４】
2005068712.tif 000006
【図５】
2005068712.tif 000007
【図６】
2005068712.tif 000008
【図７】
2005068712.tif 000009